(57)【特許請求の範囲】
【請求項１】
下ブロックに上ブロックを積み重ねてなるコンクリート箱の合わせ面にそれぞれ切欠部を形成し、該切欠部を合わせて形成する略円形の開口部にコンクリート管渠を挿入して挟持する組立式マンホールにおいて、
前記開口部はその中心位置が前記合わせ面より低い位置に設けられており、下ブロックの深型の切欠部は円弧部の両端から合わせ面まで少し広がるように傾斜した傾斜部を有し、上ブロックの浅型の切欠部は円弧部の両端から前記合わせ面の下ブロックの傾斜部の末端位置に向けて傾斜した傾斜部を有し、
前記下ブロックの傾斜部の末端と上ブロックの傾斜部の端末が同一点で互いに合致して形成される空間部の鈍角部にシール材を当てた後、充填物で閉塞したことを特徴とする組立式マンホールの止水継手構造。
【請求項２】
前記開口部の内縁とコンクリート管渠の外周縁にそれぞれシール材を布設し、該シール材を前記充填物で前記内縁と前記外周縁にそれぞれ圧接させたことを特徴とする請求項１記載の組立式マンホールの止水継手構造。
【請求項３】
前記充填物が前記略鈍角三角形状の空間部に嵌め込むスペーサー部材からなることを特徴とする請求項１記載の組立式マンホールの止水継手構造。
【請求項４】
前記スペーサー部材は前記略鈍角三角形状の空間部において前記傾斜部に圧接するシール材を左右両辺に有して他の一辺を円弧状に形成した防水性で伸縮可能な可撓性部材からなることを特徴とする請求項３記載の組立式マンホールの止水継手構造。
【請求項５】
前記スペーサー部材における円弧状の一辺と前記コンクリート管渠との間に管状バックアップ材を介在させ、該管状バックアップ部材と前記スペーサー部材とを充填物で埋め込んだことを特徴とする請求項３記載の組立式マンホールの止水継手構造。
【発明の詳細な説明】
【０００１】
【発明の属する技術分野】
この発明は組立式マンホールの止水継手構造に関するもので、特に下ブロックに上ブロックを積み重ねてなるコンクリート箱の合わせ面に、それぞれ切欠部を形成してそれらが上下で略円形状の開口部を形成し、その開口部にコンクリート管渠を吊り入れ接続して上下ブロックで挟持する構造の組立式マンホールの止水継手構造に関する。
【０００２】
【従来の技術】
この種の組立式マンホールは、図８に示すように、開口部１１を介して円管形プレキャストコンクリートブロックからなるコンクリート管渠１２，１２と連結する箱形プレキャストコンクリートブロックからなるコンクリート箱３を底部として、その上にプレキャストコンクリートブロックからなる中床版４と筒形のプレキャストコンクリートブロック５を複数段重ね、頂部に天版６を載せて大型の集水升７を形成し、その天版６に穿設した穴８に連通して円形筒形のマンホールブロック９を必要な高さに積み上げ地面Ｅに達して鋳鉄又はコンクリートのマンホール蓋１０を冠することによりマンホールを形成した。
【０００３】
マンホールブロック９及び集水升７の内壁には作業員が昇降するためにステップ１５，１５ａ，１５ｂが設けられ、また、管理点検のために作業員が昇降する際の安全を図るために、マンホールブロック９の直下には作業員が不用意に落下しても最底部まで落下しないように中床版４が形成されている（実公昭５８−１０７６０号参照）。
【０００４】
ところで、コンクリート管渠１２，１２とコンクリート箱３との連結には、コンクリート箱３を上下ブロックの二つに分けて成形し、上ブロック３ａの側壁下部と下ブロック３ｂの側壁上部に半円形の切欠部を２０，２１を形成し、これらの切欠部２０，２１でコンクリート管渠１２を上下で挟持している。この挟持構造は実用新案登録第３，０２４，１９７号や実用新案登録第２，５２２，２７９号に開示されている。
【０００５】
すなわち、前者では、図９に示すように、下半の切欠部２１を所定半径ｒの半円形部分２２の両端（直径Ｄ）より傾斜して左右へ伸びる傾斜部２５，２５にて形成するとともに、合わせ面２４より上半の切欠部２０を浅形に形成することにより、コンクリート管渠１２を上ブロック３ａを重ねる前段階で下ブロック３ｂに吊入れ接続できるようにしている。コンクリート管渠１２の吊上げ施工時に、合わせ面２４における切欠部２１の角欠けが発生し難いようにしている。
【０００６】
また、後者では、図１１に示すように、下半の所定半径ｒの切欠部２１を半円形部分２２の両端（直径Ｄ）より平行して伸びる同幅構成用の垂直面２６，２６にて深形に形成するとともに、合わせ面２４より上半の切欠部２０を浅形に形成することにより、コンクリート管渠１２を上ブロック３ａを重ねる前段階で下ブロック３ｂに吊入れ接続できるようにしている。
【０００７】
このようにしてコンクリート管渠１２をコンクリート箱３の上ブロック３ａと下ブロック３ｂで挟持接続した後、コンクリート箱３とコンクリート管渠１２との間に形成される一辺が円弧状の略鋭角三角形状の空間部２７にモルタル等の充填物を詰めて止水することとしている。
【０００８】
【発明が解決しようとする課題】
しかしながら、図１０に示すように、合わせ面２４と傾斜部２５との交差部が鋭角のコーナー部３０、又は、図１２に示すように、直角のコーナー部３１として形成され、これらのコーナー部３０，３１に帯状のシール材２８を布設してもコーナー部３０，３１がどうしても隙間として残り、合わせ面２４方向での漏水が生じるから、コーナー部３０，３１を閉塞止水するためのコーキング剤等の充填作業が付加的に必要となり、総じてコスト上昇をもたらす不都合がある。
【０００９】
そこで、この発明は、組立式マンホールにおけるコンクリート管渠とコンクリート箱の接続部の止水性を良好に、かつ、経済性高く行うことができる組立式マンホールの止水継手構造を提供する。
【００１０】
【課題を解決するための手段】
この発明にかかる組立式マンホールの止水継手構造は、請求項１に記載のように、下ブロックに上ブロックを積み重ねてなるコンクリート箱の合わせ面にそれぞれ切欠部を形成し、該切欠部を合わせて形成する略円形の開口部にコンクリート管渠を挿入して挟持する組立式マンホールにおいて、前記開口部はその中心位置が前記合わせ面より低い位置に設けられており、下ブロックの深型の切欠部は円弧部の両端から合わせ面まで少し広がるように傾斜した傾斜部を有し、上ブロックの浅型の切欠部は円弧部の両端から前記合わせ面の下ブロックの傾斜部の末端位置に向けて傾斜した傾斜部を有し、前記下ブロックの傾斜部の末端と上ブロックの傾斜部の端末が同一点で互いに合致して形成される空間部の鈍角部にシール材を当てた後、充填物で閉塞したことを特徴とする。したがって、合わせ面を閉塞する形式の止水構造を採用することができて、止水性能が向上する。
【００１１】
また、請求項２に記載のように、前記開口部の内縁とコンクリート管渠の外周縁にそれぞれシール材を布設し、該シール材を前記充填物で前記内縁と前記外周縁にそれぞれ圧接させたことを特徴とする。したがって、シール材を用いた完全な止水構造が達成される。
【００１２】
前記充填物は、請求項３に記載のように、前記略鈍角三角形の空間部に嵌め込むスペーサー部材からなることを特徴とする。前記スペーサー部材は、請求項４に記載のように、前記略鈍角三角形状の空間部において前記傾斜部に圧接するシール材を左右両辺に有して他の一辺を円弧状に形成した防水性で伸縮可能な可撓性部材からなることを特徴とする。また、請求項５に記載のように、前記スペーサー部材における円弧状の一辺と前記コンクリート管渠との間に管状バックアップ材を介在させ、該管状バックアップ部材と前記スペーサー部材とを充填物で埋め込んだことを特徴とする。したがって、止水構造の完全性を確保できる。
【００１３】
【発明の実施の形態】
以下この発明の実施の形態を図に基づき説明すると、図１に示すように、上ブロック３ａと下ブロック３ｂとからなるコンクリート箱３とコンクリート管渠１２との接続部構造以外は、実質的に前記図８の構造と同じである組立式マンホールであり、従来部分と同じ構成部分には同一符号を用いて重複説明を省略する。そして、上ブロック３ａと下ブロック３ｂでコンクリート管渠１２を挟持する開口部１１は、前記従来構造と略同じ切欠部２１を下ブロック３ｂに形成する一方、上ブロック３ａには、円弧部４１と傾斜部４２，４２とからなる切欠部４０が形成される。傾斜部４２は円弧部４１の左右両側から合わせ面２４に向けて、前記下ブロック３ｂの切欠部２１を形成する傾斜部２５，２５の端末部と合致する同一点に達している。なお、傾斜部２５は所定半径ｒの円弧部２２の両端（直径Ｄ）より上方へ傾斜させてもよいが、図示のように、直径Ｄを外れた下側両端より上方へ傾斜させてもよい。
【００１４】
傾斜部２５，４２は、図２に示すように、切欠部２１にコンクリート管渠１２の端部を吊下げ接続しその上に切欠部４０を冠してコンクリート箱３を形成すると、上下の傾斜部２５，４２の末端部は互いに合致してコンクリート管渠１２との間に、傾斜部２５，４２を２辺とする略三角形状の空間部Ｖが形成されるようになっている。なお、切欠部２１，４０の深浅は、下ブロック３ｂの方が深く形成されるが、両者ともに同じ深さとしてもよい。したがって、傾斜部２５，４２が合わせ面２４で形成するコーナー部４５の角度は鈍角に形成される。
【００１５】
空間部Ｖは適宜の充填物で閉塞して止水されるが、図３及び図４に示すように、傾斜部２５，４２を含む開口部１１の内周面には溝４３を形成してその溝４３にシール材２８を嵌め込むとともに、そのシール材２８と対面してコンクリート管渠１２の外周面にシール材２９を捲回してモルタル等の充填物４４を施すこととする。シール材２８は、コーナー部４５が鈍角形成されるので、従来の直角又は鋭角に比べ、合わせ面２４に通じる隙間が形成されるのを防止できる。
【００１６】
また、シール材２８，２９と充填物４４を用いた止水構造に代え、図５及び図６に示すように、空間部Ｖに嵌め込むスペーサー部材４６による止水構造とすることができる。この止水構造は、傾斜部２５，４２に圧接すべきシール材４７を左右両辺に有して他の一辺４６ａを円弧状に形成した樹脂又は発泡体などの防水性で伸縮可能な可撓性部材からなるが、コンクリートであってもよい。つまり、スペーサー部材４６は空間部Ｖに嵌め込む部材として、予め工場生産して必要に際し現場に搬送できるものとする。
【００１７】
そして、図６及び図７に示すように、このスペーサー部材４６はコンクリート箱３の肉厚ｔの半分程度の幅寸法Ｔであって、コンクリート箱３の内側から所定の距離ｅを確保できるものとし、かつ、シール材４７はその巾寸法Ｔの両端部側にそれぞれ配置される。なお、コンクリート管渠１２の外周面に１又は複数本の管状バックアップ材４８を捲回し、この管状バックアップ材４８がスペーサー部材４６の円弧状の一辺４６ａと開口部１１の内周面に圧接するようにし、肉厚ｔ内で残る空隙部を可変性樹脂４９にて充填する構造とする。管状バックアップ材４８は樹脂又は発泡体などの防水性で伸縮可能な可撓性部材からなり、コンクリート箱３の内側から所定の距離ｅを確保できる直径寸法のものを用いる。
【００１８】
かくして、コンクリート管渠１２を吊下げ接続可能なコンクリート箱３の開口部１１に、傾斜部２５，４２が対面して略鈍角三角形状の空間部Ｖを形成し、切欠部２１，４０が合わせ面２４に形成する角度を鈍角に形成することができ、止水構造にシール材２８，４７を用いることができるので、合わせ面２４方向への漏水を作業性及び経済性高く防止できる。
【００１９】
【発明の効果】
以上説明したこの発明によれば、傾斜部を左右両側に有する円弧部からなる切欠部を上ブロックと下ブロックに形成し、その傾斜部が対面して合わせ面での角度が鈍角となる略鈍角三角形状の空間部を形成するようにしたので、合わせ面を閉塞する形式のシール材を布設することができるから、止水が作業性及び経済性高く完全となる。
【図面の簡単な説明】
【図１】この発明を実施した組立式マンホールの縦断側面図である。
【図２】この発明の要部を示す図１の部分拡大図である。
【図３】図２中の要部拡大断面図である。
【図４】図３中のＸ−Ｘ断面図である。
【図５】図３同様で他の例を示す要部拡大図である。
【図６】図５中のＹ−Ｙ断面図である。
【図７】図５中のＺ−Ｚ断面図である。
【図８】従来の組立式マンホールを示す縦断正面図である。
【図９】従来例の要部を示す図８の部分拡大図である。
【図１０】図９中の拡大断面図である。
【図１１】従来例の他の要部を示す図８の部分拡大図である。
【図１２】図１１中の拡大図である。
【符号の説明】
Ｖ…略鈍角三角形状の空間部
３…コンクリート箱
３ａ…上ブロック
３ｂ…下ブロック
９…マンホールブロック
１０…マンホール蓋
１１…開口部
１２…コンクリート管渠
２１，４０…切欠部
２２，４１…円弧部
２３，４２…傾斜部
２５…合わせ面
２８，２９，４７…シール材
４３…溝
４４…充填物
４５…コーナー部
４６…スペーサー部材
４８…管状バックアップ材
４９…可変性樹脂
【図１】
0004091696.tif 000002
【図２】
0004091696.tif 000003
【図３】
0004091696.tif 000004
【図４】
0004091696.tif 000005
【図５】
0004091696.tif 000006
【図６】
0004091696.tif 000007
【図７】
0004091696.tif 000008
【図８】
0004091696.tif 000009
【図９】
0004091696.tif 000010
【図１０】
0004091696.tif 000011
【図１１】
0004091696.tif 000012
【図１２】
0004091696.tif 000013